Podtech/llm-jp-corpus-v4-ja_patent huggingface dataset:
(57)【要約】      （修正有）【課題】新規にデスクを購入することなく、既存のデスク環境に対応した余長ケーブルの処理や、周辺機器を収納する方法を容易に実現する。【解決手段】様々なデスク形状に装着、使用するために、デスク装着パーツ３や、天板挟み込み式の装着パーツ等を用い、適切な装着方法を選択し、デスク装着パーツとの固定部分にパーツとケーブル収納箱１を固定する。さらに周辺機器収納盤１２を、ケーブル収納箱との連結部分１３でケーブル収納箱１を連結する。次に、処理したいケーブルを、ケーブル出入口６よりケーブルを導入し、ケーブルを振り分ける仕切り板４によって振り分け、巻き取り体２に巻き取る。機器取り付けスペース１１に取り付けられた周辺機器へ、ケーブルやコードの終端を差し込む。ホコリやチリから守るため、また、目隠しのためのフタ７を上より配置する。【選択図】図１
0003106700.tif 000002
【実用新案登録請求の範囲】
【請求項１】
（イ） 箱状の内部に、ケーブル、コードを巻き取る為の軸、巻取り体（２）を設ける。
（ロ） ケーブル類を適切に振り分け、各巻取り体に誘導する、口の開いた、ケーブルを振り分ける仕切り板（４）を設ける。
（ハ） ケーブル収納部の間近に周辺機器を収納する部位を設ける。
（ニ） 長さ調整できるよう、巻取り体が回転する機構を設ける。
（ホ） 処理状態を隠すためにフタ（７）を設ける。
（ヘ） 本装置をデスクに取り付ける為の部品を導入、またその構造。
以上で構成された、ケーブル収納装置。  
【請求項２】
（イ） 箱状の内部に、ケーブル、コードを巻き取る為の軸、巻取り体（２）を設ける。
（ロ） ケーブル類を適切に振り分け、各巻取り体に誘導する、口の開いた、ケーブルを振り分ける仕切り板（４）を設ける。
（ハ） 箱状のケーブル収納を主とした物に、周辺機器を主に収納する盤、周辺機器収納盤（１２）を連結する。
（ニ） 長さ調整できるよう、巻取り体が回転する機構を設ける。
（ホ） 処理状態を隠すためにフタ（７）を設ける。
（ヘ） 本装置をデスクに取り付ける為の部品を導入、またその構造。
以上で構成された、ケーブル収納装置。  
【考案の詳細な説明】
【考案の開示】
【考案が解決しようとする課題】
【０００１】
従来、デスク周辺には乱雑したケーブルや、周辺機器が見栄えを悪くし、長期にわたり床面に放置されるので、ホコリやゴミで汚れる有り様となっていた。
【課題を解決するための手段】
【０００２】
ケーブル収納箱（１）に、デスク装着パーツ（３）や天板挟み込み式の装着パーツ（１６）を、デスク装着パーツとの固定部分(１７)に固定、デスクに装着。ケーブル出入り口（６）より、ケーブルやコードを導入し、巻取り体（２）に２重３重といった具合に巻き取る。そして、周辺機器収納盤(１２)をケーブル収納箱との連結部分(１７)により連結し、電源タップ（１５）やハブ（１４）を機器取り付けスペース（１１）に取付け、フタ（７）をする。
【考案の効果】
【０００３】
この装置の導入によって、ケーブル類は適度な長さに調整され、デスク周りは整理される。美観の寄与である。
【０００４】
口の開いた、ケーブルを振り分ける仕切り板（４）を設けることにより、各々のケーブルは適切に巻き取り体（２）に誘導される。仕切り板で振り分けることにより、ケーブル同士が交差しないので、複数の収納が可能になる。
【０００５】
ケーブルの収納のほか、電源アダプタ置場（８）、機器取付けスペース（１１）といった周辺機器の収納のスペースを設けたため、一括して管理ができる。ケーブル収納部と周辺機器収納部の機能を用途に応じて、切り離し、分離できる。
【０００６】
加えて、収納装置本体を覆うフタ（７）を設けることで、ホコリの進入、蓄積を防ぎ、目隠しの役割を
果たす。
これにより清潔な状態が保たれ、美的感覚を生む。
【０００７】
装置の導入により対策がなされた後は、整然とした環境、見栄えの向上といった利点を得ることができ
る。このように、整然としたデスクに統一感をもたらし、本装置が付加価値を与える結果となる。
【考案を実施するための最良の形態】
【０００８】
本発明を最大限有効利用するには、電源アダプタ、ハブ、電源タップといいた周辺機器の設置を適切
な箇所へ行うことである。それらを、簡単に取付け、取り外しするには、磁石を取り入れた商品を用い
ると良い。また、盤を磁性体に適した材質を扱う。
【０００９】
様々なデスク幅に取り付けるために、装着パーツに、幅の可変する構造を取り入れる。
【００１０】
収納箱の中に熱がこもらないよう、通風孔（５）を設け、空気の流れを良くする。
【００１１】
ケーブルを収束するための、ケーブルガイド（１０）を設ける。
【図面の簡単な説明】
【００１２】
【図１】一体型ケーブル収納装置本体斜視図
【図２】正面実施例
【図３】本装置を天板挟み込み式装着パーツで取り付けた実施例
【図４】天板挟み込み式装着パーツの取り付け断面図
【図５】本装置を側板を利用しデスク背面へ装着した実施例
【図６】本装置をデスクサイドへ装着した実施例
【図７】本装置をデスク下部へ配置した実施例
【図８】本装置をパソコンデスクへ装着した実施例
【図９】本装置をパソコンデスクに装着し前向きに配置した実施例
【図１０】コンピューター、周辺機器を想定、配置した実施例
【図１１】一体型ケーブル周辺機器収納装置
【符号の説明】
【００１３】
1 ケーブル収納箱
2 巻き取り体
3 デスク装着パーツ
4 ケーブルを振り分ける仕切り板
5 通風孔
6 ケーブル出入口
7 フタ
8 電源アダプタ置場
9 屋根
10 ケーブルガイド
11 機器取付けスペース
12 周辺機器収納盤
13 ケーブル収納箱との連結部
14 ハブ
15 電源タップ
16 天板挟み込み式の装着パーツ
17 デスク装着パーツとの固定部分
【図１】
0003106700.tif 000003
【図２】
0003106700.tif 000004
【図３】
0003106700.tif 000005
【図４】
0003106700.tif 000006
【図５】
0003106700.tif 000007
【図６】
0003106700.tif 000008
【図７】
0003106700.tif 000009
【図８】
0003106700.tif 000010
【図９】
0003106700.tif 000011
【図１０】
0003106700.tif 000012
【図１１】
0003106700.tif 000013
(57)【要約】【課題】擁壁工において、擁壁表面からの中詰土砂１０の流出及び洗掘を防止するとともに１割以上の法勾配の擁壁においても安定計算上の構造体としての擁壁の厚さを確保する。【解決手段】擁壁表面に隙間無く表面丸太１をボルトにて固定することにより中詰土砂１０の流出及び洗掘を防ぎ、その表面丸太１を控丸太２にて根がらみ丸太３、４と溶融亜鉛メッキ控ボルト９で連結することにより安定計算上の擁壁厚を保持する構造とし、１割以上の緩勾配で浸水する箇所の護岸擁壁においても浮力による浮き上がり防止になり、表面丸太１のアンカーの役目を果たし、同時に土圧や滑りの抵抗になる。【選択図】図１
0003106696.tif 000002
【実用新案登録請求の範囲】
【請求項１】
国産間伐材を加圧式保存処理（防腐・防蟻処理）した丸太を使用した木製擁壁工に於いて、表面丸太を隙間なくボルトで繋ぐことによって中詰土砂の流出及び洗掘を防ぎ、控丸太によって根がらみ丸太と連結し構造体の安定計算上必要な厚さを確保することによって１割以上の法勾配にも使用でき、低水護岸など浸水時に浮き上がり防止もできことを特徴とする木製擁壁工。
【考案の詳細な説明】
【技術分野】
【０００１】  本考案は、擁壁表面より中詰土砂の流出・洗掘を防止し、表面丸太を控丸太によって根がらみ丸太と連結したアンカー構造として擁壁の厚さを確保した木製擁壁工法である。
【背景技術】
【０００２】  国産間伐材の丸太を保存処理した擁壁工としては、林道などの校倉式擁壁、護岸工、谷止工、ウッド・ブロックなどがあり実用上十分であった。【０００３】  しかし、法勾配が１割以上になる河川の低水護岸や擁壁には構造体としての施工が非常に困難であるばかりでなく、安定計算上無理があり、中詰土砂の施工も手間が掛かり、表面丸太の隙間から土砂の流出の恐れがある。【０００４】  この改善策として、擁壁表面を隙間なく表面丸太を設置することにより中詰土砂流出を防ぐ。また、構造体としての厚みは前面丸太と根がらみ丸太を控丸太にて間隔を保つ構造にする。図１はこれらを示す。
【考案の開示】
【考案が解決しようとする課題】
【０００５】  解決しようとする問題点は、擁壁表面から土砂の流出又は洗掘及び１割以上の法勾配になると擁壁の厚さが次第に薄くなり、安定計算上の擁壁構造体を確保出来ない点である。
【課題を解決するための手段】
【０００６】  本考案は、擁壁表面より土砂の流出を防ぐため、擁壁前面に丸太を隙間無く並べることを主要な特徴とし、合わせて控丸太により擁壁の厚さを確保することを主要な特徴とする。
【考案の効果】
【０００７】  本考案の木製土留擁壁は擁壁表面に丸太を隙間無く並べることにより、土砂の流出を防ぐため、河川の低水護岸など法勾配が１割以上の緩い勾配でも使用できる。又、擁壁控材が擁壁厚さを確保するとともに浮き上がり防止のアンカーとしての役目を果たす利点がある。
【考案を実施するための最良の形態】
【０００８】  擁壁表面から土砂の流出防止及び１割以上の勾配における擁壁厚さの確保の目的を、丸太材の組み合わせで、木製擁壁工として実現した。
【実施例１】
【０００９】  図１は、本考案の１実施例の断面図であって、１〜２は、図２と同様である。また、２〜４は、図３と同様で、５溶融亜鉛メッキ繋ボルト、６溶融亜鉛メッキ継ボルトＡ、７溶融亜鉛メッキ継ボルト、８溶融亜鉛メッキコーチボルト、９溶融亜鉛メッキ控ボルト、１０中詰土砂である。【００１０】  予め、控丸太２と根がらみ丸太Ａ（ＡとＢは交互に設置する）を溶融亜鉛メッキ控ボルト９を用いて組み立て、法勾配に合わせて据付ける。次に、表面丸太１を熔融亜鉛ボルト５溶融亜鉛継ボルトＡ６（溶融亜鉛継ボルトＢ７と交互に使用）と溶融亜鉛継ボルトＢ７に通しながら設置する。３本設置が終わると中詰土砂１０を入れ転圧する。この方法を順次繰り返し擁壁を完成させる。【００１１】  一般に木製擁壁工の安定計算は、安全性を配慮するとともに計算を簡略化するために表裏壁材の中心間距離を計算用壁圧とし、土圧の計算を除けば通常のもたれ式の擁壁と同様の検討を行う。土圧については、盛土タイプ、切土タイプとも試行クサビ法によるが本発明の主体は丸太の組み合わせ方法にあるので説明は省略する。【００１２】  図２の実施例は、擁壁の正面図である。表面丸太１を密着させているので中詰土砂１０の流出がない。また、水抜きについては控丸太２に沿って排水する。【００１３】  図３の実施例は、擁壁の背面図である。控丸太２を根がらみ丸太３、４によって連結し、表面丸太１のアンカーの役割を果たしていると同時に土圧やすべりに対する抵抗力になりまた、浸水時の浮力に対する浮き上がり防止になる。
【産業上の利用可能性】
【００１４】  表面丸太１を密着させることによって中詰土砂１０の流出が無い利点は、河川の低水護岸に採用しても洗掘のおそれがないので安全であり、法勾配が急な土留擁壁など多様な擁壁工として適用できる。
【図面の簡単な説明】
【００１５】
【図１】擁壁の断面を示した説明図である。（実施例１）
【図２】擁壁の正面を示した説明図である。（実施例１）
【図３】擁壁の背面を示した説明図である。（実施例１）
【符号の説明】
【００１６】１  表面丸太
２  控丸太
３  根がらみ丸太Ａ
４  根がらみ丸太Ｂ
５  熔融亜鉛メッキ繋ボルト
６  熔融亜鉛メッキ継ボルトＡ
７  熔融亜鉛メッキ継ボルトＢ
８  熔融亜鉛メッキコーチボルト
９  熔融亜鉛メッキ控ボルト
１０  中詰土砂
【図１】
0003106696.tif 000003
【図２】
0003106696.tif 000004
【図３】
0003106696.tif 000005
(57)【要約】      （修正有）【課題】ゴルフをする際のゴルフマーカーやネームプレートを保持するための磁着保持機能付き記章を提供する。【解決手段】イ．中空構造としたホルダー２を成型し、その内部に磁石１を設ける。ロ．磁石１の外面に、デザインを施した記章となるプレート３を設ける。ハ．ホルダー２を衣服等に取り付ける蝶タック金具４を設ける。これを使用するときは、蝶タック金具を利用して衣服等にホルダーを取り付け、鉄製マーカーや磁性体処理を施したネームプレートを磁着させて保持する。【選択図】図１
0003106698.tif 000002
【実用新案登録請求の範囲】
【請求項１】
記章内部に磁石を設け、鉄製ゴルフマーカーやネームプレートを磁着させて保持することを特徴とする磁着保持機能付き記章。
【考案の詳細な説明】
【技術分野】
【０００１】  本考案は、ゴルフのグリーン場で使用するマーカーや、ネームプレートを磁着させて保持する磁着保持機能付きの記章に関するものである。
【背景技術】
【０００２】  従来、記章、ネームプレート、およびゴルフマーカーは単独の製品として独立して使用していた。また磁石を内蔵したゴルフマーカーは、磁性体であるマーカーホルダーに磁着させて保持し使用していた。
【考案の開示】
【考案が解決しようとする課題】
【０００３】    そのために欠のような欠点があった。
イ．例えば社外で記章、社内ではネームプレートといった、記章とネームプレートとの取    り替えがわずらわしく、手間が掛かる。
ロ．ゴルフマーカー単独で使用すると、使用中に紛失することがあった。
ハ．磁石内蔵式のゴルフマーカーを使用すると、グリーン上の磁性体を吸着することがあ    った。
本考案は、以上の欠点を解決するためになされたものである。
【課題を解決するための手段】
【０００４】  記章内部に磁石を設け、鉄製ゴルフマーカーや磁性体処理を施したネームプレートを磁着させて保持することを特徴とした磁着保持機能付き記章である。
【考案の効果】
【０００５】  記章とネームプレートとの切り替えが、単にネームプレートを磁着させるだけで簡単に行える。またゴルフマーカーはグリーン上で磁性体を吸着して拾うことがなく、磁着保持できるので紛失することもない。
【考案を実施するための最良の形態】
【０００６】  以下、本考案の実施の形態について説明する。
イ．中空構造としたホルダー（２）を成型し、その内部に磁石（１）を設ける。
ロ．磁石（１）の外面に、デザインを施した記章となるプレート（３）を設ける。
ハ．ホルダー（２）を衣服等に取り付ける蝶タック金具（４）を設ける。
本考案は以上のような構造でこれを使用するときは、蝶タック金具を利用して衣服等にホルダーを取り付け、鉄製マーカーや磁性体処理を施したネームプレートを磁着させて保持する。
【実施例】
【０００７】  蝶タック金具（４）の代わりに設けたクリップ（６）を利用して、ホルダー（２）を衣服や帽子の端部に取り付けることもできる。
【図面の簡単な説明】
【０００８】
【図１】本考案の分解斜視図
【図２】本考案の使用状態を示す斜視図
【図３】本考案の他の実施例を示す斜視図
【符号の説明】
【０００９】１  磁石
２  ホルダー
３  プレート
４  蝶タック金具
５  ネームプレート
６  クリップ
７  マーカー
８  帽子
【図１】
0003106698.tif 000003
【図２】
0003106698.tif 000004
【図３】
0003106698.tif 000005
(57)【要約】【課題】  この考案は、脱臭、抗菌、防湿等の効果を有する靴の中敷きである。【解決手段】  高温で炭化した綿布（２）を芯にして、その両面に補強とクッションを兼ねた補助シート（３）と表面となる織布（４）並びに裏面となる織布（５）を配し、適合した形状とサイズにカットして周辺部（１）を圧着または縫着する。  炭化した綿布の有する脱臭効果、抗菌効果、湿気の吸着性、遠赤外線による疲労の軽減効果を具備せしめることにより、課題を解決する。【選択図】    図２
0003106697.tif 000002
【実用新案登録請求の範囲】
【請求項１】
高温処理で炭化した綿布を芯にした靴の中敷き。
【考案の詳細な説明】
【考案の開示】
【考案が解決しようとする課題】
【０００１】  靴を履くことにより発生する悪臭や蒸れ、水虫予防等に対応する為の靴や中敷きの改良  がなされてきたが、より合理的なものがない。
【課題を解決する為の手段】
【０００２】  上記の課題を解決するために、高温処理により炭化した綿布を、中敷きの中層部に配し  て芯にした、靴の中敷きを考案した。
【考案の効果】
【０００３】  炭化した綿布には、脱臭効果、抗菌効果、湿気の吸収性等の特性があり、悪臭や水虫等  の予防、蒸れ等に効果がある。
また、遠赤外線効果もあるので、これによる疲労予防効果も期待できる。
【考案を実施するための最良の形態】
【０００４】  炭化した綿布の両面に、補強とクッションを兼ねた補助シートを配し、その両面に、表面並びに裏面となる織布を配する。これを中敷きに適合した形状とサイズにカットして周辺部を圧着又は縫着する。
【図面の簡単な説明】
【０００５】
【図１】中敷きの全体図である。
【図２】中敷きの断面図である。
【符合の説明】
【０００６】  １．周辺部
２．炭化した綿布
３．補助シート
４．表面となる織布
５．裏面となる織布
【図１】
0003106697.tif 000003
【図２】
0003106697.tif 000004
(57)【要約】      （修正有）【課題】非介護者の身体を、体位保持ベルト等で拘束することなく、車椅子に安定させるためのクッションを提供する。【解決手段】非介護者が車椅子を長時間使用するときの疲れや褥痩を防ぐために、クッションの芯地に低反発性ウレタンフォーム１を使用し、失禁等の対策として、無毒性ターポリン２をもって包材とした、又、包材の表面にノンスリップシート３を縫付することにより、非介護者が前ズレ等にて体位が崩れるのを防ぐこととした。さらに、ファスナーを取り付けることにより、芯地と包材とを分離して洗浄することができるようにした。【選択図】図３
0003106667.tif 000002
【実用新案登録請求の範囲】
【請求項１】
低反発性ウレタンフォーム１を、ノンスリップシート３を縫付した包材２にて包んだことを特徴とした介護用クッション。
【考案の詳細な説明】
【技術分野】
【０００１】  本考案は低反発性のウレタンと、滑り止め加工をしたシートとを組み合わせた介護用クッションであり、主に車椅子を使用する際、身体を車椅子に安定させるために用いる。
【背景技術】
【０００２】  従来、低反発性のウレタンを使用したクッションは、座り心地を追及したもの、臀部の筋肉や骨が脆くなっている高齢者のための介護用のもの等がある。
特開２００１−０３７５９４
特開２００１−００８９７５
特開２００２−０００４０５
本考案は、芯材に低反発性ウレタンを使用したことに加え、表材に滑り止めシートを縫付したことを特徴とした、介護用クッションである。
【考案の開示】
【考案が解決しようとする課題】
【０００３】  高齢者の太腿部及び臀部は、筋肉、骨、共に脆くなっている人が多く、衝撃を加えると痛めることがある。
非介護者を車椅子ごと送迎車に乗せ、安全ベルト、体位保持ベルトを装着し、搬送する際、急ブレーキをかけたため、非介護者が股関節を脱臼するという事故があった。
本考案は、非介護者の身体を、体位保持ベルト等で拘束することなく、車椅子に安定させるためのクッションを提供する。
【課題を解決するための手段】
【０００４】  本考案では、非介護者が車椅子を長時間使用するときの疲れや褥痩を防ぐために、クッションの芯地本体に低反発性ウレタンフォームを使用し、失禁等の対策として、無毒性ターポリンをもって包材とした、又、包材の表面にノンスリップシートを縫付することにより、非介護者が前ズレ等にて体位が崩れるのを防ぐこととした。
【考案の効果】
【０００５】  芯地の低反発ウレタンフォーム１と、包材の無毒性ターポリン２は、共に比較的滑りにくい性質であるので、じかに接するよう、あえて中包みを省いた。
ノンスリップシート３を縫付することにより、クッション全体が滑りにくいものとなり、使用する者の体位を保持することができる。【０００６】  包材に無毒性ターポリンを使用したことにより、食べこぼしの汁等がしみ込むことがなく、ファスナー４により芯地と包材とを分離して洗浄することができるので、清潔さを維持することができる。【０００７】  低反発性ウレタンフォーム１を芯地に使用したことにより、クッションに体が深くしずみこみ安定するので、急停車などの場合でも、体が前にズレるのを防ぎ、事故の防止に寄与することができる。
【考案を実施するための最良の形態】
【実施例１】
【０００８】  被介護者を車椅子ごと車両に乗せ、移送する場合、義務とされているシートベルトのほかに、その他のベルト等により、安全を確保しようとする場合が多いが、身体拘束と考えられる事がある。
本クッションを使用することにより、その他の安全確保用ベルトの使用を減少することができる。
【実施例２】
【０００９】  本クッションは、非介護者の送迎時のみでなく、日常の生活にも使用できる、例えば食堂の椅子、座椅子、等に使用した場合、体位が崩れるのを防ぐので、介助の役割をも補助する。
【産業上の利用可能性】
【００１０】  病院への送迎、デイサービスの送迎等、車椅子を使用しない場合でも、本クッションを座席に使用することにより、安全度を高めることができる。【００１１】  介護用のみでなく、タクシー、乗り合いバス等、シートベルトの着用を強制できない場合も、ある程度の安全が確保できるので、運転者等、送迎責任者の安心感を確保できる。
【図面の簡単な説明】
【００１２】
【図１】は介護用クッションの概要図である。
【図２】は介護用クッションの後側を示した図であるが、洗浄の際、芯材の低反発性ウレタンを出し入れするためのファスナー４を取り付けた様子を示した。又、ノンスリップシートを包材の上下表面に縫付した様子もここに示した。
【図３】は介護用クッションの断面図であるが、芯地の低反発性ウレタン１を包材の無毒性ターポリン２にて包み、その表面にノンスリップシート３を縫付した様子を示した。
【符号の説明】
【００１３】１  ：  低反発性ウレタン
２  ：  包材
３  ：  ノンスリップシート
４  ：  ファスナー
【図１】
0003106667.tif 000003
【図２】
0003106667.tif 000004
【図３】
0003106667.tif 000005
(57)【要約】【課題】  透明プラスチック眼鏡。その他の透明製品に容易なる操作で再剥離でき、透明性を損なわず、しかも剥離時にのり残りがなく、防水性もある装飾用レッテル。拡大、縮小、デザイン変更可能な装飾用レッテルと透明プラスティックで製されてなる眼鏡セットを提供する。【解決手段】透明プラスチック眼鏡と透明製品を阻害しない再剥離可能な防水性装飾用レッテルを提供する。台紙３上に保護膜の塗布された再使用可能な装飾用レッテル１、２、４をＴＰＯに応じて適宜選択し、貼付可能なものとしたことを特徴とした。【選択図】  図１
0003106666.tif 000002
【実用新案登録請求の範囲】
【請求項１】
表面に、装飾模様が施され、裏面に透明な再剥離性粘着剤層が形成されてなる透明プラスチックシートからなることを特徴とする、拡大、縮小、形やデザインまでも、変更可能である、防水性のある装飾用レッテル。
【請求項２】
前記の装飾用レッテルと、透明プラスチックで製されてなる眼鏡とよりなることを特徴とする眼鏡セット。
【考案の詳細な説明】
【技術分野】
【０００１】  本考案は交換可能な制作の装飾用レッテル。及び眼鏡セットに関するものである。
【背景技術】
【０００２】  実用の眼鏡にあっては、センスと必要性にあわせて、数をそろえることで実用上十分であった。【０００３】  しかし、老眼鏡におよんでは、手元に常置する数が必要となることは、費用の大きな負担である。軽量、手軽に扱えるもので、ファッショナブルなものが実用上必要となる。旅行時などには、特にその必要性を兼ね備えたものの提供が少ないという問題があった。【０００４】  眼鏡において、軽量かつ安価で、ＴＰＯに応じたデザイン性があり、眼鏡の透明性を損なわず選択可能な機能を持つ眼鏡の市販がない欠点があった。【０００５】  この改善策として、軽量かつ安価な透明プラスチック眼鏡に容易なる操作で、眼鏡のつる部分に交換可能な装飾用シールを貼付する。しかも剥離時にのり残りがなく、透明性を損わず貼付しやすくする必要がある。
【考案の開示】
【考案が解決しようとする課題】
【０００６】  従来、眼鏡を多数揃える必要があった。透明プラスチック眼鏡の透明つる部分を損なわず、しかも剥離時にのり残りがなく、透明性を生かした製品に適用できることを目的とするレッテル。形やデザインの変化にも対応でき、再剥離性を特徴とすることにより透明製品の機能を損なわず、付与する必要があった。
【課題を解決しようとする手段】
【０００７】  本考案は、表面に、装飾模様が施され、裏面に透明な再剥離性粘着剤層が形成されてなる透明プラスチックシートからなることを特徴とする、拡大、縮小、形やデザインまでも、変更可能である防水性のあることを最も主要な特徴とする、装飾用レッテルとした。
【０００８】  前記の装飾用レッテルと、透明プラスチックで製されてなる眼鏡とよりなることを特徴とする眼鏡セットを特徴とした。
【考案の効果】
【０００９】  本考案は、再剥離可能な透明プラスチックシートからなり拡大、縮小、形やデザインまでも、変更可能である。さらに、防水性のあることを特徴とする装飾用レッテルである為、ＴＰＯに応じ透明製品を損なわない利点がある。
【００１０】  本考案の再剥離レッテルは薄く扱いやすい。色の滲みがなく防水性のあることを特徴とする為、透明プラスチック装飾品にも付加価値をもたせられる利点がある。透明色のあるプラスチック傘やマスクにも使用可能である。
【００１１】  再剥離レッテルを眼鏡のつる部分左右の側端部に貼付し、透明プラスティク眼鏡と装飾用レッテルをセットとすることで、ＴＰＯに応じて様々な使い方ができる。
【考案を実施するための最良の形態】
【００１２】  図１は台紙３の上に、透明な再剥離性粘着剤層が形成されている模様レッテル１，２の斜視図である。このレッテルは一般に市販されている透明光沢フィルムラベルに、透明製品を阻害しないデザインを施したものである。より再剥離しやすく、速乾性に優れ，色の滲みを最小限におさえる為に、レッテルの上に皮膜として、酢酸ブチル酢酸エチルインプロパノール  ニトロセルロース  フタル酸ジプチル  ポリビニルプチラールオキシベンゾン−１使用し、利用し実用価値のあるものにした。【００１３】  装飾用レッテル図２より台紙３の上に貼付した１，２そして、４が適宜数、貼付されている。模様部レッテルには色々なデザイン模様を施されている。透明プラスチックシートからなり裏面に透明な再剥離性粘着剤層が形成されている。デザインされたレッテル部分には、全面に塗布されたものは防水性もあり、好みに応じて左右自由選択可能なものとした。拡大、縮小、デザイン変更可能なものとしたので、レッテルを選べる利点がある。【００１４】  眼鏡はレンズ部分５、つる部分６、全体に透明プラスチックから製されており、つる部分６が折り畳み可能になされている。つる部分６に装飾レッテルが貼付させている台紙３から、模様部１、２、４をＴＰＯに応じて適時選択しツル部分に貼付する。装飾レッテルは一般公知の透明光沢フィルムラベルにデザインが施され透明眼鏡を損なうことない。デザインや大きさなど自由な変更が可能である上に台紙に貼付し再使用も可能である利点がある。
【産業上の利用可能性】
【００１５】  本考案再剥離性装飾用レッテルは、透明製品に適用可能である。ゆえに傘、バッグマスク、サンダル等に使用可能である。
【図面の簡単な説明】
【００１６】
【図１】本考案再剥離性装飾用レッテル及び台紙の斜視図である。台紙上に、透明保護膜塗布のデザインの施された再剥離性の装飾用レッテル。
【図２】本考案装飾用レッテルの一例を示す平面図である。
【図３】本考案メガネセットの一例において使用状態をなす斜視図である。
【符号の説明】
【００１７】１    模様レッテル部
２    粘  着  剤  層
３    台          紙
４    模様  レッテル
５    レ  ン  ズ  部
６    つ    る    部
【図１】
0003106666.tif 000003
【図２】
0003106666.tif 000004
【図３】
0003106666.tif 000005
【手続補正書】
【提出日】平成16年8月27日(2004.8.27)
【手続補正１】
【補正対象書類名】実用新案登録請求の範囲
【補正対象項目名】請求項２
【補正方法】変更
【補正の内容】
【請求項２】
前記の請求項１記載の装飾用レッテルと、透明プラスティックで製されてなる眼鏡と  よりなることを特徴とする眼鏡セット。
(57)【要約】      （修正有）【課題】靴を履く労力を軽減して、容易に靴を履くことができる靴装着簡易補助具を提供する。【解決手段】靴の踵の内側の形状に密着し、その高さは靴の踵上部から靴の踵内部の靴底までのおよその長さであり、その上部は靴の踵の上部にＵ字型の形状で密着し、且つ、滑り易く加工されたもので、その構造素材は、靴を履くとき、足の重力に耐えられる堅牢な素材で作られたことを特徴とする。【選択図】図２
0003106637.tif 000002
【実用新案登録請求の範囲】
【請求項１】
靴を履くとき、足が靴の中に滑らかに入り、且つ、容易に履けるように工夫された本考案の構造形態は、靴の踵の内側の形状に密着し、その高さは靴の踵上部から靴の踵内部の靴底までのおよその長さであり、その上部は靴の踵の上部にＵ字型の形状で密着し、その構造素材は、靴を履くとき、足の重力に耐えられる堅牢な素材で作られ、且つ、上部Ｕ字型形状の表面は滑り易い素材（プラスッチクなど）で作られたもの。
【考案の詳細な説明】
【技術分野】
【０００１】本考案は靴を履くときは、容易に履くことができるように、靴の踵に本考案品を装着して、足の踵の摩擦抵抗を軽減するところの補助器具。
【背景技術】
【０００２】従来、靴を履くとき、靴の紐をゆるめたり、靴すべりなどを用いて履く。又は、靴の踵の上部に引っ張るための部品などを付けている。
【考案の開示】
【考案が解決しようとする課題】
【０００３】従来、靴を履くときは、靴の紐をゆるめたり、靴すべりを用いるなどですが、容易に靴を履くことができるように、靴の踵部の抵抗を少なくして、履くときの足の重力による靴の踵の部位の折れ曲がりを無くす構造と素材の課題。
【課題を解決するための手段】
【０００４】  靴を履くとき、足が靴の中に滑らかに入り、且つ、容易に履けるように工夫された本考案の構造形態は、靴の踵の内側の形状に密着し、その高さは靴の踵上部から靴の踵内部の靴底までのおよその長さであり、その上部は靴の踵の上部にＵ字型の形状で密着し、その構造素材は、靴を履くとき、足の重力に耐えられる堅牢な素材で作られ、且つ、上部Ｕ字型形状の表面は滑り易い素材（プラスッチクなど）で作られたもの。
【考案の効果】
【０００５】本考案は、靴を履くとき、靴の紐を緩めたり、靴すべりなど用いずに、容易に履けるように考案されたものであり、手や器具などを使わずに、靴の中に足を滑り込ますだけで容易に靴が履ける効果を有するものである。
【考案を実施するための最良の形態】
【０００６】本考案は実施の形態を「図１」、「図２」、及び、「図３」に基づいて説明する。「図２」斜視図は実施形態を示すもので、本考案本体「図１」を靴の踵部に装着したところの図である。「図３」は、靴の製造工程において、靴の踵部の外側と内側の素材の間に、本考案本体を装着して張り合わせたところの図である。
【図面の簡単な説明】
【図１】    本考案本体斜視図
【図２】    本考案実施形態斜視図
【図３】    本考案実施形態切断面図（靴製造工程後の本考案本体実施形態例の切断面図）  １      本考案本体の上部（Ｕ字部）  ２      本考案本体の下部  ３      本考案本体の裏面部  ４      靴踵部外面部  ５      靴踵部内面部  ４ａ    本考案実施形態切断面点  ４ｂ    本考案実施形態切断面点
【図１】
0003106637.tif 000003
【図２】
0003106637.tif 000004
【図３】
0003106637.tif 000005
【手続補正書】
【提出日】平成16年5月18日(2004.5.18)
【手続補正１】
【補正対象書類名】実用新案登録請求の範囲
【補正対象項目名】請求項１
【補正方法】変更
【補正の内容】
【請求項１】
靴を履くとき、足が靴の中に滑らかに入り、且つ、容易に履けるように工夫された本考案の構造形態は、靴の踵の内側の形状に密着し、その高さは靴の踵上部から靴の踵内部の靴底までのおよその長さであり、その上部は靴の踵の上部にＵ字型の形状で密着し、その構造素材は、靴を履くとき、足の重力に耐えられる堅牢な素材で作られ、且つ、上部Ｕ字型形状の表面は滑り易い素材（プラスッチクなど）で作られたもの。  靴を履くとき、足が靴の中に滑らかに入り、且つ、容易に履けるように工夫された本考案の構造形態は、靴の踵の内側の形状に密着し、その高さは靴の踵上部から靴の踵内部の靴底までのおよその長さであり、その上部は靴の踵の上部にＵ字型の形状で密着し、その構造素材は、靴を履くとき、足の重力に耐えられる堅牢な素材で作られ、且つ、上部Ｕ字型形状の表面は滑り易い素材（プラスッチクなど）で作られた靴装着簡易補助器具。
【手続補正書】
【提出日】平成16年9月14日(2004.9.14)
【手続補正１】
【補正対象書類名】実用新案登録請求の範囲
【補正対象項目名】全文
【補正方法】変更
【補正の内容】
【実用新案登録請求の範囲】
【請求項１】
本考案器具上部は、靴の踵上部をＵ字型で覆い、その下部は靴踵内側面底部までの長さと密着形状を有するところの靴装着簡易補助器具。
【請求項２】
請求項１における形状形態は堅牢な合成樹脂で作られ、その上部表面は滑り易く加工され、靴の踵上部と踵内側面に接着して、靴の踵部からの脱離を防ぐところの靴装着簡易補助器具。
(57)【要約】      （修正有）【課題】一般家庭で手を水に濡らさず、簡単な手回しによって誰でも均一かつ迅速に洗米する機器の提供。【解決手段】手を水に浸けることなく、ハンドル１で羽根７を回転する事により、渦水流を発生させ、米粒を均一に拡散、浮遊させ、米粒をきれいに洗米するものである。【選択図】図１
0003106636.tif 000002
【実用新案登録請求の範囲】
【請求項１】
洗米に適した容器を動かないよう容器固定スライド金具で固定し、効果的、かつ迅速に洗米をするため、洗米羽根の深さを上下にスライド調節しネジで固定する。ハンドルを手で回転することによって渦水流が発生し、洗米される機器である。
【請求項２】
下側の回転軸に米粒が拡散、浮遊しやすいように回転軸に直角に８枚の羽根をつけ回転する事によって渦水流が発生、米粒が水洗される。逆回転によって逆水流が発生し、この回転渦水流を利用し均一的に洗米されるものである。
【考案の詳細な説明】
【考案の詳細な説明】
【０００１】［産業上の利用分野］
本案は必要な洗米量、容器の大小にかかわらず、一般家庭で手を水に濡らさず、簡単な手回しによって誰でも均一かつ迅速に洗米する機器の考案である。
【０００２】［従来の技術］
家庭での米洗いは、大小さまざまな容器（ボールなど）を用いて手先で米を洗っているのが現状である。
【０００３】［考案が解決しようとする課題］
冷たい水、清潔な手で時間をかけての米洗いは主婦にとって苦痛であり、ほぼ毎日の業務となっている。この不都合を解決するための新たな発想による考案である。本考案は、要するに、手を水に浸けないで洗米できるようにしたものである。
【０００４】［課題を解決するための手段］
洗米は主婦にとって冷たい水を使うので、手荒れ、又、洗米の摩擦で爪あれなど心配がある。必要な量の米をボールなどに入れ、その中に洗米に必要な水を入れ、洗米機器を固定、調節する。ハンドルを回転する事によって渦水流を発生させ、米が均一に分散、浮遊攪拌される。又逆回転によって逆水流を発生させ、米粒が破損せずきれいに洗米されるものである。
【０００５】［考案の実施の形態］
以下、本考案の実施の形態について説明する。
家庭で使用する洗米容器（米と水が入ったもの）に、上から手回し洗米機器を乗せる。すると容器固定治具（２）が洗米容器の両端に乗る。次に、洗米容器の内側にスライド金具（３）を移動させ機器が動かないようにストッパーネジ（４）で固定する。つぎに洗米量、水に応じて、回転軸用円筒（５）に沿って、回転羽根の適正な位置を容器固定治具（２）を上下にスライド調節し、円筒固定ネジ（６）で固定する。次に、ハンドル（１）を回す事によって、羽根が回転し、洗米される。逆回転によって、更に洗米効果を発揮する。水を交換、置換する事により短時間で米粒をきれいに洗米できる。本考案は以上のような構成よりなる洗米機である。
【０００６】［考案の効果］
本案の効果は米量の多少にかかわらず、現在使用している洗米容器を使用する事が可能であり、手を水に浸けることなく、米粒を破損することなく短時間で均一に洗米でき、軽量で操作が簡単な為、誰にでも使用する事が可能との利点を有している。
【図面の簡単な説明】［図１］本案の斜視図である。
［図２］本案の上部（回転ハンドル）と下部（回転羽根）の回転軸と円筒ガイドの部分。
［図３］本案の容器固定部分と上下調節ストッパーの断面図。
［図４］本案の容器スライド固定金具の斜視図である。
［図５］本案の水流回転羽根の下面図。
［符号の説明］
（１）回転ハンドル
（２）容器固定治具
（３）容器固定スライド金具
（４）ストッパー
（５）回転軸用円筒
（６）上下調節ストッパー
（７）水流回転羽根
（８）回転軸
【図１】
0003106636.tif 000003
【図２】
0003106636.tif 000004
【図３】
0003106636.tif 000005
【図４】
0003106636.tif 000006
【図５】
0003106636.tif 000007
【手続補正書】
【提出日】平成16年5月7日(2004.5.7)
【手続補正１】
【補正対象書類名】実用新案登録請求の範囲
【補正対象項目名】全文
【補正方法】変更
【補正の内容】
【実用新案登録請求の範囲】
【請求項１】
洗米に適した容器が動かないよう、容器固定スライド金具で固定し、効果的、かつ迅速に洗米をするため、洗米羽根の深さを上下にスライド調節し、ストッパーネジで固定する。回転ハンドルを手で回すことによって、回転軸に直角につけた８枚の羽根で渦水流が生じ、又、逆回転によって逆水流が発生、この回転渦水流を利用して、米を均一に、きれいに洗米することができる家庭用手回し洗米機である。
【手続補正書】
【提出日】平成16年8月6日(2004.8.6)
【手続補正１】
【補正対象書類名】実用新案登録請求の範囲
【補正対象項目名】全文
【補正方法】変更
【補正の内容】
【実用新案登録請求の範囲】
【請求項１】
洗米器が動かないように、スライド金具の付いた容器固定治具を有し、水流回転羽根を適正な位置にするための上下調節ストッパ−を有し、回転ハンドル付で、回転軸に直角に取り付けた８枚の水流回転羽根等からなる家庭用手回し洗米機。
(57)【要約】      （修正有）【課題】幅、長さ、重量感などに不便を感じないタオル生地以外の生地を使った自由型タオルを提供する。【解決手段】タオル地以外の生地を使用することにより  素材  質感  形など自由な発想のタオルができる。これにより、耐久性、実用性、ファッション性などもふくめ、生地を生活の中で十分に生かすことができる。その時々の状況に応じたタオルが選択できる。【選択図】なし【実用新案登録請求の範囲】
【請求項１】
タオル地以外の生地を使うことにより  形  幅  長さ  質感の違う使用範囲の広がるタオル。また  穴あけ  ボタン  ひもつけなどの処理をしたもの。
【考案の詳細な説明】
【考案の詳細な説明】
［考案が解決しようとする課題］
【０００１】タオルを使用するとき  幅  長さ  重量感など不便を感じることがある。
［課題を解決するための手段］
【０００２】タオル地以外の生地を使うことにより  その時々の状況に応じたタオルが選択できる。
［考案の効果］
【０００３】タオル地にこだわらないだけで耐久性  実用性  ファッション性などもふくめ  生地を生活の中で十分に生かすことができる。
【図面の簡単な説明】
【図１】タオルに紐をつけた平面図である。
【図２】タオルに穴を明けた平面図である。
【符号の説明】
１  タオル本体
２  紐部分
３  穴あき部分
【図１】
0003106634.tif 000002
【図２】
0003106634.tif 000003
【手続補正書】
【提出日】平成15年10月30日(2003.10.30)
【手続補正１】
【補正対象書類名】実用新案登録請求の範囲
【補正対象項目名】全文
【補正方法】変更
【補正の内容】
【実用新案登録請求の範囲】
【請求項１】
［タオル地以外の生地を使い  穴明け  ボタン  ひもつけなどの処理をした形  幅  長さ  質感の違う使用範囲の広がるタオル。］
【手続補正書】
【提出日】平成16年2月12日(2004.2.12)
【手続補正１】
【補正対象書類名】実用新案登録請求の範囲
【補正対象項目名】全文
【補正方法】変更
【補正の内容】
【実用新案登録請求の範囲】
【請求項１】
タオル地以外の生地を使い  中央にひもつけの処理をした質感の違う使用範囲の広がるタオル
【手続補正書】
【提出日】平成16年8月10日(2004.8.10)
【手続補正１】
【補正対象書類名】実用新案登録請求の範囲
【補正対象項目名】全文
【補正方法】変更
【補正の内容】
［書類名］  実用新案登録請求の範囲
［請求項１］  タオル地以外のかさばらず  乾きやすい生地の中央にひもをつけ  フックやボタン等にかけて使用できるようにしたタオル
(57)【要約】【課題】  本考案は段ボール製パレットに耐水性、強度保持を高め、使用後は資源として再利用することが出来る。【解決手段】  本考案は段ボール製のトレー形態部１に、耐水性と強度保持のための中コマ３を紙製の角筒２に固定し結合させる。１のトレー内側長辺２箇所に紙製Ｌアングル４を糊貼りし、全て紙製品で作成することにより、廃材の減少に役立つ。【選択図】  図１
0003106640.tif 000002
【実用新案登録請求の範囲】
【請求項１】
段ボール製のパレットに防水と強度保持の為中コマを用いた足柱を固定し、更に紙製Ｌアングルを糊貼し強度を高め、使用後は、資源として再利用することが出来る事を特徴とする段ボールパレット。
【考案の詳細な説明】
【技術分野】
【０００１】  本考案は、フォークリフトを利用した荷物運搬時に使用されるパレットに関するものである。
【技術背景】
【０００２】  木製パレット及びプラスチック製パレットを使用していた。
【考案の開示】
【考案が解決しようとする課題】
【０００３】  木製及びプラスチック製のパレットは、それ自体の損傷が激しくなると、粗大ゴミになり、時には、処分されずに放置される事もしばしばある。従って、古紙回収の出来る段ボール製のパレットを提供する。
【考案を解決するための手段】
【０００４】  本考案は、段ボール製のトレー形態部の下部に紙製の角筒を結合し足柱とする。フ  ォークリフトの差込幅を考慮し、所定間隔に足柱を取り付ける。足柱部の紙製の角筒は、防水と強度保持のため中コマを用いて密閉構造とする。
【考案の効果】
【０００５】  前述の様に、本考案の段ボール製パレットは、従来のものに比べ軽く、中コマを用いる事により防水と強度保持が図れ、不要になったときは、資源として再利用出来る。
【考案を実施するための最良の形態】
【０００６】  足柱部分に用いる中コマは、ステープル又は糊貼りもしくはその両方を用いて角筒に固定する。段ボール製のトレー形態部内面長辺方向２箇所に、紙製Ｌアングルを糊貼り等で固定する。
【実施例】
【０００７】  以下、添付図面に従って一実施例を説明する。１の段ボール製のトレー形態部の下部に２の紙製の角柱を結合した足柱を結合させる。角筒２は、中コマ３を用いて密閉構造とする。段ボール製のトレー１の内側長辺２箇所に紙製Ｌアングル４を糊貼り等で固定する。
【図面の簡単な説明】
【０００８】
【図１】  段ボールパレット全体図
【図２】  紙製Ｌアングル補強部
【図３】  紙製角筒、中コマ補強部
【符号の説明】
【０００９】  １  段ボール製トレー
２  紙製角筒
３  中コマ
４  紙製Ｌアングル
【図１】
0003106640.tif 000003
【図２】
0003106640.tif 000004
【図３】
0003106640.tif 000005
【手続補正書】
【提出日】平成16年5月21日(2004.5.21)
【手続補正１】
【補正対象書類名】実用新案登録請求の範囲
【補正対象項目名】全文
【補正方法】変更
【補正の内容】
【実用新案登録請求の範囲】
【請求項１】
段ボール製のパレットを構成する足柱に紙製の角筒を用いることにより、従来の紙製丸筒を使用したパレットよりも、トレー形態部と足柱の接着面を多くすることにより補強されていることを特徴とする段ボールパレット。
【請求項２】
段ボール製のパレットのトレー形態部の内側に紙製のＬ型アングルを固定することによりトレー形態部も補強されていることを特徴とする実用新案登録請求の範囲請求項１に記載されている段ボールパレット。
【手続補正書】
【提出日】平成16年8月27日(2004.8.27)
【手続補正１】
【補正対象書類名】実用新案登録請求の範囲
【補正対象項目名】請求項１
【補正方法】変更
【補正の内容】
【請求項１】
段ボール製のパレットを構成する足柱に紙製の角筒を用いることにより、トレー形態部と足柱の接着面を多くすることにより補強されていることを特徴とする段ボールパレット。
(57)【要約】      （修正有）【課題】ドーム型の天井の一部に円形状の開口部を形成し、ドーム型天井底部終端から一体として水平に幅広に展伸する鍔の形状を持つ、揚げ物油飛散防止用なべ蓋の提供。【解決手段】ドーム型の油飛散防止部分とドーム円周の縁を幅広にした部分を一体構造とし縁を幅広にした事によりどの様ななべにも使用する事が可能になり活用範囲が広がる。【選択図】図１
0003106658.tif 000002
【実用新案登録請求の範囲】
【請求項１】
揚げ油飛散防止用のなべ蓋について
ドーム型の側面に円形の穴を開け  ドームの円周と接する面の縁を幅広にした事によりなべの大小に関係なく蓋を乗せることが出来、油飛散防止なべ蓋として応用範囲が広がる。
【考案の詳細な説明】
【技術分野】
【０００１】本考案はドーム型油飛散防止用なべ蓋の円周の縁を広げた事に関する。
［背景技術］【０００２】これまでも揚げ物油飛散防止用なべ蓋が多数考案されており防火面や衛生面からも必要とされている。
［考案の開示］
［考案が解決しようとする課題］【０００３】今までは蓋となべがセットで作られている事から応用範囲も狭くコストも掛かり一般に普及するに至っていない。
［課題を解決するための手段］【０００４】ドーム型の蓋となべの接点である縁の幅を広げる事により用途の違うなべに乗せても簡単かつ安全に揚げ物が出来る、蓋だけなのでコストも掛からない。
［考案の効果］【０００５】蓋の縁を広げたことによりあらゆるなべに応用が出来る。
［考案を実施するための最良の形態］【０００６】図１に示す様に一体構造で作る
［実施例］【０００７】コンロになべを置き、揚げ油を注ぎ入れその上に油飛散防止なべ蓋をかける
コンロに点火し適温に達したら天ぷら等の具材を蓋の丸い穴空き部分より入れる
その際に油が飛び散るが考案した蓋により油の飛散防止が出来る。
【図面の簡単な説明】
【０００８】［図１］  は側面図
［図２］  は上から見た平面図
【符号の説明】
【０００９】１はドーム型油飛散防止カバー
２はドーム型油飛散防止なべ蓋のドームと一体部分
３は円形の穴で揚げ物等の出し入れ口となる
【図１】
0003106658.tif 000003
【図２】
0003106658.tif 000004
【手続補正書】
【提出日】平成16年8月10日(2004.8.10)
【手続補正１】
【補正対象書類名】実用新案登録請求の範囲
【補正対象項目名】全文
【補正方法】変更
【補正の内容】
【実用新案登録請求の範囲】
【請求項１】
ドーム型の天井の一部に円形状の開口部を形成し、ドーム型天井底部終端から一体として水平に幅広に展伸する鍔の形状を持つ、揚げ物油飛散防止用なべ蓋。
(57)【要約】【課題】不在時におけるインターホン、チャイムに対し応答出来ないマイナス点を改良し、侵入者を未然に防ぎ、防犯を目的とする装置．【解決手段】インターホン、チャイムより制御盤を通してスピーカーにて犬の鳴声で反応する．又、赤外線センサーをつけることにより昼夜を問わず２４時間反応出来る．【選択図】図２
0003106652.tif 000002
【実用新案登録請求の範囲】
【請求項１】
スピーカーより犬の鳴声を発生し、赤外線センサー、インターホン、チャイムで２４時間対応．
【請求項２】
犬の鳴声のパターン及び時間の調節可能．
【考案の詳細な説明】
【技術分野】
【０００１】インターホン等に反応した防犯装置
【考案の開示】
【考案が解決しようとする課題】
【０００２】赤外線センサーにて人の動きをとらえ夜間ライト点灯であったものを昼夜の別なく２４時間犬の鳴声にて外部よりの侵入を防ぐ装置で、インターホン、チャイムにも反応することが出来る．
【考案が解決する為の手段】
【０００３】不在時におけるインターホン、チャイムでは応答出来ない状態の時スピーカーより犬の鳴声をもって反応し、又インターホン、チャイムを押さない場合赤外線センサーが２４時間反応する．
【考案の効果】
【０００４】不在時でも犬の鳴声により侵入しようとする者の気持をそぎ、犯罪を未然に防ぐ効果をねらったもので赤外線センサーやスピーカーを追加することにより、より強固なものとなる．
【図面の簡単な説明】
【０００５】
【図１】インターホン、チャイム、センサー、スピーカーの平面図である．
【図２】考案した装置の使用状況をしめす平面図である
【符号の説明】
【０００６】１．センサー、２．インターホン、３．チャイム  ４．制御盤、５．スピーカー、
【図１】
0003106652.tif 000003
【図２】
0003106652.tif 000004
【手続補正書】
【提出日】平成16年8月30日(2004.8.30)
【手続補正１】
【補正対象書類名】実用新案登録請求の範囲
【補正対象項目名】全文
【補正方法】変更
【補正の内容】
【実用新案登録請求の範囲】
【請求項１】
赤外線センサー、インターホン、チャイムに反応しスピーカーより犬の鳴声を発生する音声防犯装置．
【請求項２】
請求項１において犬の鳴声パターン及時間の調節可能な音声防犯装置．